(57)【特許請求の範囲】
【請求項１】
移動局との間で無線通信する複数の基地局と、前記複数の基地局の上位にある制御局とを備える移動通信システムに配置された、前記基地局であって、
前記移動局が移動した際に送信するイベント情報を受信する第１受信部と、
前記イベント情報を送信した前記移動局との間で以前に通信した他の基地局を識別する基地局ＩＤと、前記他の基地局に設定されている無線通信用のパラメータ情報とを含む基地局情報を要求するための要求情報を、前記他の基地局又は前記制御局へ送信する第１送信部と、
前記他の基地局又は前記制御局から送信された前記基地局情報を受信する第２受信部と、
前記基地局情報を受信した際、受信した前記基地局情報を記憶部に記憶させる管理部と、
前記記憶部に記憶した前記他の基地局に対して、自局の基地局情報を送信する第２送信部と、
他の基地局から送信された要求情報を受信する第３受信部と、
前記第３受信部が受信した前記要求情報に含まれ、前記イベント情報を送信した移動局を識別する移動局ＩＤに基づいて、自局が前記イベント情報を送信した前記移動局との間で以前に通信したか否かを判定する判定部と、
前記判定部が以前に通信したと判定した場合、自局の基地局情報を、前記要求情報を送信した前記他の基地局へ送信する第３送信部と
を具備することを特徴とする基地局。
【請求項２】
前記イベント情報は、前記移動局が存在する位置を示す位置登録エリアの変更を要求する位置登録要求情報であることを特徴とする請求項１に記載の基地局。
【請求項３】
前記イベント情報は、前記他の基地局と前記移動局との間の通信が切断された際に、通信の再接続を要求するために前記移動局から送信される再接続要求情報であることを特徴とする請求項１に記載の基地局。
【請求項４】
前記管理部は、前記記憶部に前記基地局情報を記憶させる際、前記記憶部に記憶されていない前記基地局情報のみを記憶させることを特徴とする請求項１に記載の基地局。
【請求項５】
移動局との間で無線通信する複数の基地局と、前記複数の基地局の上位にある制御局とを備える移動通信システムにおける通信方法であって、
前記制御局が、前記基地局を識別する基地局ＩＤと、前記基地局に設定される無線通信用のパラメータ情報とを含む基地局情報を記憶するステップと、
前記基地局が、前記移動局が移動した際に送信するイベント情報を受信するステップと、
基地局が、前記イベント情報を送信した前記移動局との間で以前に通信した他の基地局を識別する基地局ＩＤと、前記他の基地局に設定されている無線通信用のパラメータ情報とを含む基地局情報を要求するための要求情報を、前記制御局へ送信するステップと、
前記制御局が、前記移動局が移動した際に送信するイベント情報を受信した前記基地局から、前記移動局と以前に通信した前記基地局の前記基地局情報を要求する要求情報を受信するステップと、
前記制御局が、記憶している前記基地局情報に基づいて、前記要求情報を送信した前記基地局に対して、前記移動局と以前に通信した前記基地局の前記基地局情報を送信するステップと、
前記基地局が、前記制御局から送信された前記基地局情報を受信するステップと、
前記基地局が、前記基地局情報を受信した際、受信した前記基地局情報を記憶するステップと、
前記基地局が、記憶した前記基地局情報に対応する他の基地局に対して、自局の基地局情報を送信するステップと、
他の基地局から送信された要求情報を受信するステップと、
受信した前記要求情報に含まれ、前記イベント情報を送信した移動局を識別する移動局ＩＤに基づいて、自局が前記イベント情報を送信した前記移動局との間で以前に通信したか否かを判定するステップと、
前記判定するステップにおいて、自局が前記イベント情報を送信した前記移動局との間で以前に通信したと判定した場合、自局の基地局情報を、前記要求情報を送信した前記他の基地局へ送信するステップと
を具備することを特徴とする通信方法。
【発明の詳細な説明】
【技術分野】
【０００１】
本発明は、移動局との間で無線通信する複数の基地局と、前記複数の基地局の上位にある制御局とを備える移動通信システムに配置された、基地局、制御局、及び通信方法に関する。
【背景技術】
【０００２】
従来、移動通信システムでは、複数の移動局が、無線伝送路を共有して同時に通信を行う多元接続方式として、符号分割多元接続方式（以下、ＣＤＭＡ：Ｃｏｄｅ Ｄｉｖｉｓｉｏｎ Ｍｕｌｔｉｐｌｅ Ａｃｃｅｓｓ）方式、広帯域・符号分割多元接続方式（Ｗ−ＣＤＭＡ：Ｗｉｄｅｂａｎｄ ＣＤＭＡ）、時分割多元接続方式（以下、ＴＤＭＡ：Ｔｉｍｅ Ｄｉｖｉｓｉｏｎ Ｍｕｌｔｉｐｌｅ Ａｃｃｅｓｓ）方式、周波数分割多元接続方式（以下、ＦＤＭＡ：Ｆｒｅｑｕｅｎｃｙ Ｄｉｖｉｓｉｏｎ Ｍｕｌｔｉｐｌｅ Ａｃｃｅｓｓ）等が知られている。
【０００３】
上述する多元接続方式の中で、例えば、ＣＤＭＡ方式によって、同一周波数帯域を複数の無線通信波で共有する移動通信システムでは、個々の無線通信波が、ランダムな符号系列である拡散コードによって区別するように構成されている。
【０００４】
特に、Ｗ−ＣＤＭＡ方式の移動通信システムで用いられる拡散コードには、高い検出特性や識別特性に加え、低送信電力でも高品質な通信を実現するため、異なる拡散コード間の相互干渉を低減できる符号直交性が求められている。このため、割当可能な拡散コード数は、上り回線よりも少ない。また、かかる拡散コードは、有効利用のため全セルで繰り返し使用されるが、基地局間（セル間）での混信を防ぐため、基地局毎に異なるコードを重畳して使用している。
【０００５】
また、Ｗ−ＣＤＭＡ方式の移動通信システムでは、ユーザのデータを実際に広帯域拡散する拡散コードが、チャネライゼーションコードとよばれ、基地局（セル）毎に重畳するセル間混信防止用のコードが、下りスクランブリングコードと呼ばれている。
【０００６】
また、かかる移動通信システムにおいて、移動局は、各基地局から、報知される下りスクランブリングコードに基づいて、通信先の基地局を検出している。また、かかる移動通信システムでは、基地局が、自局の周辺に位置する他の基地局で使用されている下りスクランブリングコード等の無線通信用のパラメータ情報を、テーブル（以下、周辺ゾーンテーブルと示す）に予め記憶し、当該下りスクランブリングコードを制御チャネルにより移動局へ報知している。
【０００７】
そして、移動局は、移動により通信先の基地局を切り替える場合（例えば、ハンドオーバ）、移動前に報知された下りスクランブリングコードに基づいて、通信先の基地局の検出をより高速に行っている。
【０００８】
また、上述した移動通信システムでは、例えば、基地局を新設する場合、当該新設基地局（セル）の周辺に位置する他の基地局（セル）を特定すると共に、特定した他の基地局のスクランブリングコードを、新設基地局の周辺ゾーンテーブルに設定する必要がある。さらに、新設基地局に割り当てられた新たなスクランブリングコードを、周辺に位置する他の基地局の周辺ゾーンテーブルに設定する必要がある。
【０００９】
ここで、新設基地局の周辺に位置する他の基地局を特定する際、当該周辺基地局は、新規基地局のトポロジ上の位置関係に基づいて、特定される場合がある。
【００１０】
しかし、実際の基地局の無線範囲は、例えば構造物等の影響によりトポロジ上の無線範囲とは異なることがあり、周辺ゾーンテーブルの設定情報が正確でない場合がある。そこで、周辺ゾーンテーブルをより正確に設定するためには、現地で無線信号を測定する等の方法がとられていた。
【特許文献１】平成１１−２１５５５２号公報
【発明の開示】
【発明が解決しようとする課題】
【００１１】
しかしながら、現地での無線信号の測定作業は、広い無線範囲の測定を必要とするため、作業負荷がかかっていた。
【００１２】
そこで、本発明は、上記の問題に鑑みてなされたもので、基地局において、自局が報知する無線通信用のパラメータ情報を高精度に設定するとともに、当該設定時の作業負荷を低減する基地局、制御局、及び通信方法を提供することを課題とする。
【課題を解決するための手段】
【００１３】
上記目的を達成するため、本発明の第１の特徴は、移動局との間で無線通信する複数の基地局と、前記複数の基地局の上位にある制御局とを備える移動通信システムに配置された、前記基地局であって、前記移動局が移動した際に送信するイベント情報を受信する第１受信部と、前記イベント情報を送信した前記移動局との間で以前に通信した他の基地局を識別する基地局ＩＤと、前記他の基地局に設定されている無線通信用のパラメータ情報とを含む基地局情報を要求するための要求情報を、前記他の基地局又は前記制御局へ送信する第１送信部と、前記他の基地局又は前記制御局から送信された前記基地局情報を受信する第２受信部と、前記基地局情報を受信した際、受信した前記基地局情報を記憶部に記憶させる管理部と、前記記憶部に記憶した前記他の基地局に対して、自局の基地局情報を送信する第２送信部とを具備することを要旨とするものである。第１の特徴に係る基地局によれば、移動局が移動する際に送信するイベント情報に基づいて、他の基地局又は上位にある制御局へ、当該移動局と以前に通信した他の基地局に関する基地局情報を要求すると共に、要求した基地局情報を受信し、記憶部に記憶する。よって、かかる発明によれば、移動局が受信する他の基地局の無線範囲に基づいて、周辺に位置する他の基地局を、高精度に特定できると共に、周辺に位置する他の基地局に関する基地局情報を記憶部に記憶することができる。また、記憶部に記憶した他の基地局へも自局の基地局情報を送信するので、当該他の基地局においても、自局の基地局情報を記憶させることが可能になる。また、従来行われていた記憶部に記憶する作業が、自動で行われるので、特に、記憶部に記憶させる作業の多い、基地局を新設する際の作業負荷を低減することができる。
【００１４】
また、本発明の第１の特徴において、前記イベント情報は、前記移動局が存在する位置を示す位置登録エリアの変更を要求する位置登録要求情報であってもよい。かかる発明によれば、基地局において、移動局が移動した際に送信される位置登録要求情報をきっかけとして、当該移動局と以前に通信した他の基地局に関する基地局情報を要求すると共に、要求した基地局情報を受信し、記憶部に記憶する。よって、かかる発明によれば、無線通信範囲が隣接する他の基地局を、移動局から送信される位置登録要求情報によって特定できるので、周辺に位置する他の基地局を、高精度に特定できると共に、周辺に位置する他の基地局に関する基地局情報を記憶部に記憶することができる。
【００１５】
また、本発明の第１の特徴において、前記イベント情報は、前記他の基地局と前記移動局との間の通信が切断された際に、通信の再接続を要求するために前記移動局から送信される再接続要求情報であってもよい。かかる発明によれば、基地局において、移動局が移動によって通信切断した際に送信される再接続要求情報をきっかけとして、当該移動局と以前に通信した他の基地局に関する基地局情報を要求すると共に、要求した基地局情報を受信し、記憶部に記憶する。よって、かかる発明によれば、無線通信範囲が隣接する他の基地局を、移動局から送信される再接続要求情報によって特定できるので、周辺に位置する他の基地局を、高精度に特定できると共に、周辺に位置する他の基地局に関する基地局情報を記憶部に記憶することができる。
【００１６】
また、本発明の第１の特徴において、前記管理部は、前記記憶部に前記基地局情報を記憶させる際、前記記憶部に記憶されていない前記基地局情報のみを記憶させてもよい。
【００１７】
また、本発明の第１の特徴において、前記要求情報には、前記イベント情報を送信した移動局を識別する移動局ＩＤが含まれており、他の基地局から送信された要求情報を受信する第３受信部と、受信した前記要求情報に含まれる移動局ＩＤに基づいて、自局が前記イベント情報を送信した前記移動局との間で以前に通信したか否かを判定する判定部と、前記判定部が以前に通信したと判定した場合、自局の基地局情報を、前記要求情報を送信した前記他の基地局へ送信する第３送信部とを更に具備してもよい。
【００１８】
本発明の第２の特徴は、移動局との間で無線通信する複数の基地局を下位に有する制御局であって、前記基地局を識別する基地局ＩＤと、前記基地局に設定される無線通信用のパラメータ情報とを含む基地局情報を記憶する記憶部と、前記移動局が移動した際に送信するイベント情報を受信した前記基地局から、前記移動局と以前に通信した前記基地局の前記基地局情報を要求する要求情報を受信する第１受信部と、前記記憶部に記憶される前記基地局情報に基づいて、前記要求情報を送信した前記基地局に対して、前記移動局と以前に通信した前記基地局の前記基地局情報を送信する送信部とを具備することを要旨とするものである。
【００１９】
また、本発明の第２の特徴において、前記移動局の存在する位置を管理するための位置登録エリアと前記基地局と対応させて記憶するエリア記憶部と、前記基地局から、新たな位置登録エリアの割当を要求するエリア割当要求情報を受信する第２受信部と、エリア割当要求情報を受信した際、新たな位置登録エリアと、当該エリア割当要求情報を送信した基地局とを一対一で対応させ、前記エリア記憶部に記憶するエリア設定部とを更に具備してもよい。
【００２０】
かかる発明によれば、エリア割当要求情報を送信した基地局に対して、新たな位置登録エリアを割り当てるので、移動局が、当該基地局の無線範囲に移動した際のイベント情報（例えば、位置登録要求情報）を送信する頻度が増えると共に、基地局へ基地局情報を送信する頻度が増える。
【００２１】
よって、かかる発明によれば、基地局へ基地局情報を送信する頻度が増えるので、基地局において他の基地局の基地局情報が、より早く記憶される。
【００２２】
本発明の第３の特徴は、移動局との間で無線通信する複数の基地局と、前記複数の基地局の上位にある制御局とを備える移動通信システムにおける通信方法であって、前記制御局が、前記基地局を識別する基地局ＩＤと、前記基地局に設定される無線通信用のパラメータ情報とを含む基地局情報を記憶するステップと、前記基地局が、前記移動局が移動した際に送信するイベント情報を受信するステップと、基地局が、前記イベント情報を送信した前記移動局との間で以前に通信した他の基地局を識別する基地局ＩＤと、前記他の基地局に設定されている無線通信用のパラメータ情報とを含む基地局情報を要求するための要求情報を、前記制御局へ送信するステップと、前記制御局が、前記移動局が移動した際に送信するイベント情報を受信した前記基地局から、前記移動局と以前に通信した前記基地局の前記基地局情報を要求する要求情報を受信するステップと、前記制御局が、記憶している前記基地局情報に基づいて、前記要求情報を送信した前記基地局に対して、前記移動局と以前に通信した前記基地局の前記基地局情報を送信するステップと、前記基地局が、前記制御局から送信された前記基地局情報を受信するステップと、前記基地局が、前記基地局情報を受信した際、受信した前記基地局情報を記憶するステップと、前記基地局が、記憶した前記基地局情報に対応する他の基地局に対して、自局の基地局情報を送信するステップとを具備することを要旨とするものである。
【００２３】
本発明の第４の特徴は、移動局との間で無線通信する複数の基地局を備える移動通信システムにおける通信方法であって、第１の基地局が、前記移動局が移動した際に送信するイベント情報を受信するステップと、前記第１の基地局が、前記イベント情報を送信した前記移動局との間で以前に通信した基地局を識別する基地局ＩＤと、前記基地局に設定されている無線通信用のパラメータ情報とを含む基地局情報を要求するための要求情報に、前記イベント情報を送信した前記移動局を識別する移動局ＩＤを含めて、第２の基地局へ送信するステップと、前記第２の基地局が、受信した前記要求情報に含まれる移動局ＩＤに基づいて、自局が前記イベント情報を送信した前記移動局との間で以前に通信したか否かを判定するステップと、前記第２の基地局が、前記ステップ４において以前に通信したと判定した場合、自局の基地局情報を、前記要求情報を送信した前記第１の基地局へ送信するステップと、前記第１の基地局が、受信した前記基地局情報を記憶部に記憶させるステップと、前記第１の基地局が、前記記憶部に記憶した前記第２の基地局に対して、自局の基地局情報を送信するステップとを具備することを要旨とするものである。
【発明の効果】
【００２４】
本発明によると、基地局において、自局が報知する無線通信用のパラメータ情報を高精度に設定するとともに、当該設定時の作業負荷を低減する基地局、制御局、及び通信方法を提供することができる。
【発明を実施するための最良の形態】
【００２５】
図１乃至８を参照して、本発明の実施形態を説明する。なお、以下の説明において参照する各図では、同一の機能を有する部分には同一符号を付し、繰り返しの説明は、省略する。
【００２６】
（移動通信システムの概要）
初めに、図１乃至図４を参照しながら、本実施形態に係る移動通信システム１の概要について説明する。本実施形態では、図１に示すように、集中制御局３０１と、制御ルータ２０１乃至２０２と、基地局１０１乃至１０３とを具備する移動通信システム１が、図３に示すように、基地局１０４を新たに具備する場合を例に挙げて、移動通信システム１が周辺ゾーンテーブル更新処理（後述する）を実施する際の各機能について説明する。
【００２７】
また、本実施形態に係る移動通信システム１では、各基地局１０１乃至１０４が形成するセルＣ１０１乃至Ｃ１０４おいて、当該各セルに存在する移動局と、基地局１０１乃至１０４とが、同一周波数帯を共有して通信を行うＣＤＭＡ（Ｃｏｄｅ Ｄｉｖｉｓｉｏｎ Ｍｕｌｔｉｐｌｅ Ａｃｃｅｓｓ）方式が用いられている。なお、本実施形態に係る移動通信システム１は、ＣＤＭＡ方式におけるＦＤＤ（Ｆｒｅｑｕｅｎｃｙ Ｄｉｖｉｓｉｏｎ Ｄｕｐｌｅｘ）方式とＴＤＤ（Ｔｉｍｅ Ｄｉｖｉｓｉｏｎ Ｄｕｐｌｅｘ）方式とを想定しているが、かかる移動通信システム１は、上述したＣＤＭＡ方式以外に、ＴＤＭＡ（Ｔｉｍｅ Ｄｉｖｉｓｉｏｎ Ｍｕｌｔｉｐｌｅ Ａｃｃｅｓｓ）方式、ＦＤＭＡ（Ｆｒｅｑｕｅｎｃｙ Ｄｉｖｉｓｉｏｎ Ｍｕｌｔｉｐｌｅ Ａｃｃｅｓｓ）方式等を想定してもよい。
【００２８】
また、基地局１０１乃至１０４は、当該セルＣ１０１乃至セルＣ１０４に存在する移動局５０１乃至５０２との間で無線通信する。また、各セルを形成する各基地局には、無線通信用のパラメータ情報として、基地局毎に異なる下りスクランブリングコード、即ち、下り回線において使用する拡散符号が設定されている。
【００２９】
また、各基地局１０１乃至１０４では、自局が形成するセルＣ１０１乃至Ｃ１０４に対して、周辺に位置するセルＣ１０１乃至Ｃ１０４を形成する基地局１０１乃至１０４を識別する基地局ＩＤと、周辺の基地局１０１乃至１０４で用いられているスクランブリングコードとを関連付けて記憶する周辺ゾーンテーブルを具備する。なお、周辺ゾーンテーブルの詳細については、後述する。そして、基地局１０１乃至１０４は、自局が形成するセルＣ１０１乃至Ｃ１０４に存在する移動局に対して、周辺ゾーンテーブルの情報を報知する。
【００３０】
また、図１に示す移動通信システム１では、基地局１０１乃至１０２が、図２（ａ）に示す周辺ゾーンテーブルＴ１１を具備する。例えば、基地局１０１の周辺ゾーンテーブルＴ１１には、自局の基地局ＩＤ（Ｂ１０１）及び周辺に位置する基地局１０２を識別する基地局ＩＤ（Ｂ１０２）と、各基地局１０１乃至１０２に設定されているスクランブリングコード（１０と１９）とが、関連付けて記憶されている。
【００３１】
また、基地局１０３は、図２（ｂ）に示す周辺ゾーンテーブルＴ１３を具備する。図１に示すように、基地局１０３の周辺には基地局１０１乃至１０２が、存在しないため、周辺ゾーンテーブルＴ１３には、自局の基地局ＩＤ（Ｂ１０３）と、自局に設定されているスクランブリングコード（１５）だけが、関連付けて記憶されている。
【００３２】
そして、図３に示すように、基地局１０４を新設した移動通信システム１では、本発明の各種機能により、基地局１０１乃至１０２が、図４（ａ）に示す周辺ゾーンテーブルＴ１１を具備し、基地局１０３が、図４（ｂ）に示す周辺ゾーンテーブルＴ１３を具備し、基地局１０４が、図４（ｃ）に示す周辺ゾーンテーブルＴ１４を具備するようになる。
【００３３】
図４（ａ）に示すように、基地局１０１の周辺ゾーンテーブルＴ１１には、自局の基地局ＩＤ（Ｂ１０１）及び周辺に位置する基地局１０２乃至１０４を識別する基地局ＩＤ（Ｂ１０２及びＢ１０４）と、各基地局１０１乃至１０４に設定されている各スクランブリングコード（１０と１９と２４）とが、関連付けて記憶されている。
【００３４】
また、図４（ｂ）に示すように、基地局１０３の周辺ゾーンテーブルＴ１３には、自局の基地局ＩＤ（Ｂ１０３）及び周辺に位置する基地局１０４を識別する基地局ＩＤ（Ｂ１０４）と、各基地局に設定されているスクランブリングコード（１５と２４）とが、関連付けて記憶されている。
【００３５】
また、図４（ｃ）に示すように、基地局１０４の周辺ゾーンテーブルＴ１４には、自局の基地局ＩＤ（Ｂ１０４）及び周辺に位置する基地局１０１乃至１０３を識別する基地局ＩＤ（Ｂ１０１乃至Ｂ１０３）と、各基地局１０１乃至１０４に設定されているスクランブリングコード（１０と１９と１５と２４）とが、関連付けて記憶されている。
【００３６】
なお、本実施形態では、一つの基地局を識別する基地局ＩＤと、当該基地局で使用されているスクランブリングコード（無線通信用のパラメータ情報）との一組を、基地局情報として説明する。
【００３７】
また、本実施形態に係る移動通信システム１では、基地局１０１乃至１０４が形成するセルＣ１０１乃至Ｃ１０４を一つ又は複数をまとめて、位置登録エリアが形成されている。ここで、上述した位置登録エリアは、集中制御局３０１が、移動局５０１乃至５０２の位置を管理するためのエリアの単位であり、ページングエリアと呼ばれる場合もある。
【００３８】
なお、本実施形態では、基地局１０１乃至１０２が形成するセルＣ１０１乃至Ｃ１０２が、位置登録エリア４０１に属し、基地局１０３が形成するセルＣ１０３が、位置登録エリア４０２に属し、基地局１０４が形成するセルＣ１０４が、位置登録エリア４９９に属している場合を例に説明する。
【００３９】
また、本実施形態に係る移動通信システム１では、基地局１０１乃至１０２と基地局１０４とが、上位の制御ルータ２０１に収容されており、基地局１０３が、上位の制御ルータ２０２に収容されている。
【００４０】
また、集中制御局３０１は、制御ルータ２０１乃至２０２を収容すると共に、基地局１０１乃至１０４とを収容する。また、集中制御局３０１は、基地局１０１乃至１０４との間で無線通信する移動局５０１乃至５０２を収容する。
【００４１】
また、基地局１０１乃至１０４は、制御ルータ２０１乃至２０２を介して、相互に通信すると共に、当該制御ルータ２０１乃至２０２を介して、集中制御局３０１と通信する。
【００４２】
なお、本実施形態に係る移動通信システム１において、集中制御局３０１、制御ルータ２０１乃至２０２、基地局１０１乃至１０４のそれぞれの数は、あくまで一例であって、例えば、処理負荷の分散を行うことを目的に複数の集中制御局３０１を具備してもよい。また、上述した位置登録エリア４０１乃至４０２及び位置登録エリア４９９に関しても、セルＣ１０１乃至Ｃ１０４が、位置登録エリア４０１乃至４０２及び位置登録エリア４９９のいずれに属する関係であってもよい。
【００４３】
（移動通信システムの構成）
次に、図５乃至１１を参照しながら、本実施形態に係る移動通信システム１の構成について説明する。まず、基地局１０１乃至１０４の構成について説明する。ここで、基地局１０１乃至１０４の構成は同様であるため、基地局１０１の構成について説明する。
【００４４】
基地局１０１は、図５に示すように、受信部１０１１と、送信部１０１２と、エリア割当要求部１０１３と、エリア設定部１０１４と、接続履歴記憶部１０１５と、周辺ゾーンテーブル記憶部１０１６と、周辺基地局探索部１０１７と、周辺ゾーンテーブル管理部１０１８と、制御部１０１９とを具備する。
【００４５】
受信部１０１１は、移動局５０１乃至５０２から、移動局５０１乃至５０２が、移動した際に送信するイベント情報を受信する第１受信部として機能している。また、本実施形態に係るイベント情報は、移動局５０１乃至５０２が、存在する位置登録エリア４０１乃至４０２及び位置登録エリア４９９の変更を要求する際に送信する位置登録要求情報、又は、移動局５０１乃至５０２が、他の基地局１０１乃至１０４との間の通信が切断された際に、通信の再接続を要求するために送信する再接続要求情報である。
【００４６】
また、受信部１０１１は、集中制御局３０１及び他の基地局１０２乃至１０３から送信される位置登録エリア割当情報と、元位置登録エリア情報と、周辺ゾーンテーブル要求情報（周辺ＺＴ要求情報）と、周辺ゾーンテーブル応答情報（周辺ＺＴ応答情報）と、周辺ゾーンテーブル追加要求情報（周辺ＺＴ追加要求情報）と、通信切断元問い合わせ情報と、通信切断元応答情報とを受信する。
【００４７】
位置登録エリア割当情報は、新たな位置登録エリアを割り当てたことを通知する情報であり、新たな位置登録エリアを識別する位置登録エリアＩＤが含まれている。また、元位置登録エリア情報は、移動局５０１乃至５０２が以前に在圏した位置登録エリア４０１乃至４０２を示す情報であり、当該位置登録エリアに属するセルを形成する基地局１０１乃至１０４に対応する基地局情報が含まれている。周辺ゾーンテーブル要求情報は、周辺ゾーンテーブルＴ１１乃至Ｔ１４に記憶される全ての基地局情報を、当該周辺ゾーンテーブル要求情報を送信した送信元の他の基地局１０１乃至１０４へ送信するように要求する情報である。周辺ゾーンテーブル応答情報は、周辺ゾーンテーブル要求情報に対して応じる情報であり、一つの周辺ゾーンテーブル応答情報には、一つの周辺ゾーンテーブル（例えば、周辺ゾーンテーブルＴ１１）に記憶される全ての基地局情報が含まれている。周辺ゾーンテーブル追加要求情報は、周辺ゾーンテーブルＴ１１乃至Ｔ１４に、基地局情報を追加するように要求する情報であり、当該周辺ゾーンテーブル追加要求情報には、他の基地局の基地局情報が含まれている。また、受信部１０１１は、当該周辺ゾーンテーブル追加要求情報を受信することで、他の基地局１０２乃至１０４又は集中制御局３０１から送信された基地局情報を受信する第２受信部として機能している。また、受信部１０１１は、他の基地局１０２乃至１０４又は集中制御局３０１から送信された、元位置登録エリア情報及び通信切断元応答情報を受信することで、第３受信部として機能している。通信切断元問い合わせ情報は、再接続要求情報を送信した移動局５０１乃至５０２との間の通信が切断した基地局１０１乃至１０４に対して、基地局情報を要求するための情報であり、再接続要求情報を送信した移動局５０１乃至５０２を識別する移動局ＩＤを含んでいる。通信切断元応答情報は、上述する通信切断問い合わせ情報に応答する情報であり、移動局５０１乃至５０２との間の通信が切断した基地局１０１乃至１０４の基地局情報を含んでいる。
【００４８】
送信部１０１２は、集中制御局３０１又は他の基地局１０２乃至１０４に対して、位置登録エリア割当要求情報と、元位置登録エリア要求情報と、周辺ゾーンテーブル要求情報と、周辺ゾーンテーブル応答情報と、周辺ゾーンテーブル追加要求情報と、通信切断元問い合わせ情報と、通信切断元応答情報とを送信する。
【００４９】
位置登録エリア割当要求情報は、自局と一対一に対応させた位置登録エリアを割り当てるように要求する情報であり、送信元の基地局１０１乃至１０４の基地局ＩＤが含まれている。元位置登録エリア要求情報は、受信部１０１１で受信された位置登録要求を送信した移動局５０１乃至５０２が、どの位置登録エリアに存在していたかを要求する情報であり、移動局５０１乃至５０２を識別する移動局ＩＤが含まれている。
【００５０】
ここで、送信部１０１２は、通信切断元問い合わせ情報と、元位置登録エリア要求情報を送信する機能により、イベント情報を送信した移動局５０１乃至５０２との間で以前に通信した他の基地局１０１乃至１０４を識別する基地局ＩＤと、他の基地局１０２乃至１０４に設定されているスクランブリングコード（無線通信用のパラメータ情報）とを含む基地局情報を要求するための要求情報を、他の基地局１０２乃至１０４又は集中制御局３０１へ送信する第１送信部として機能している。また、送信部１０１２は、自局の基地局情報を含む周辺ゾーンテーブル追加要求情報を送信することで、自局の基地局情報を送信する第２送信部として機能している。また、送信部１０１２は、自局の基地局情報を含む通信切断元応答情報を送信することで、自局の基地局情報を送信する第３送信部として機能している。
【００５１】
エリア割当要求部１０１３は、基地局１０１において、起動又は管理者の所定の操作が行われた際、送信部１０１２を介して、集中制御局３０１へ位置登録エリア割当要求情報を送信する。
【００５２】
エリア設定部１０１４は、受信部１０１１において位置登録エリア割当情報を受信した際、位置登録エリア割当情報に含まれる位置登録エリアＩＤに基づいて、自局の位置登録エリアを設定する。また、エリア設定部１０１４は、位置登録エリア設定後、後述する周辺基地局探索部１０１７へ設定が完了したことを通知する。
【００５３】
接続履歴記憶部１０１５は、通信切断履歴テーブルＴ１０１を備える。通信切断履歴テーブルＴ１０１は、図６に示すように、自局が通信していた移動局５０１乃至５０２を識別する移動局ＩＤと、通信が切断した年月日及び時刻とを関連付けて記憶する。
【００５４】
周辺ゾーンテーブル記憶部１０１６は、周辺ゾーンテーブルＴ１１を備えている。かかる周辺ゾーンテーブルＴ１１は、自局及び他の基地局１０１乃至１０４を識別する基地局ＩＤと、自局及び他の基地局１０１乃至１０４に設定されている無線通信用のパラメータ情報と関連付けて記憶する。
【００５５】
具体的に、本実施形態に係る周辺ゾーンテーブルＴ１１は、図２（ａ）及び図４（ａ）に示すように、自局及び他の基地局１０１乃至１０４を識別する基地局ＩＤと、無線通信用のパラメータ情報として、自局及び他の基地局１０１乃至１０４に設定されているスクランブリングコードとを関連付けて記憶する。
【００５６】
なお、本実施形態では、かかる無線通信用のパラメータ情報が、スクランブリングコードである場合を例に説明するが、かかる無線通信用のパラメータは、ＴＤＭＡ方式の移動通信システムにおける下りタイムスロットであってもよいし、ＦＤＭＡ方式の移動通信システムにおける下り周波数帯域であってもよい。
【００５７】
周辺基地局探索部１０１７は、エリア設定部１０１４から、位置登録エリアの設定が完了したことを通知されると、送信部１０１２を介して、他の基地局１０２乃至１０４へ周辺ゾーンテーブル要求情報を送信する。また、周辺基地局探索部１０１７は、受信部１０１１において、移動局５０１乃至５０２から送信されたイベント情報が受信された場合、イベント情報を送信した移動局５０１乃至５０２との間で以前に通信した他の基地局１０２乃至１０４を識別する基地局ＩＤと、他の基地局１０１乃至１０４の基地局情報を要求するための要求情報を、送信部１０１２を介して、他の基地局１０２乃至１０４又は集中制御局３０１へ送信する。
【００５８】
具体的に、周辺基地局探索部１０１７は、受信部１０１１において、位置登録要求情報が受信された場合、送信部１０１２を介して、他の基地局１０２乃至１０４又は集中制御局３０１へ、元位置登録エリア要求情報を送信する。また、周辺基地局探索部１０１７は、受信部１０１１において、再接続要求情報が受信された場合、送信部１０１２を介して、他の基地局１０２乃至１０４又は集中制御局３０１へ、通信切断元問い合わせ情報を送信する。また、周辺基地局探索部１０１７は、受信部１０１１において、通信切断元問い合わせ情報が受信された場合、当該通信切断元問い合わせ情報に含まれる移動局ＩＤが、自局の通信切断履歴テーブルＴ１０１に記憶されているか否かを判定する。そして、周辺基地局探索部１０１７は、通信切断履歴テーブルＴ１０１に記憶されていると判定した場合、自局の基地局ＩＤと、自局に設定されているスクランブリングコードを含む通信切断元応答情報を生成し、送信部１０１２を介して、生成した通信切断元応答情報を、通信切断元問い合わせ情報を送信した他の基地局１０２乃至１０４又へ送信する。
【００５９】
周辺ゾーンテーブル管理部１０１８は、受信部１０１１において、基地局情報を受信した際、受信した基地局情報を記憶部に記憶させる管理部として機能する。具体的に、周辺ゾーンテーブル管理部１０１８は、受信部１０１１において、周辺ゾーンテーブル追加要求情報と、通信切断元応答情報と、元位置登録エリア情報とを受信した場合、当該受信した情報に含まれる基地局情報が、周辺ゾーンテーブルＴ１１乃至Ｔ１３に記憶されているか否かを判別し、記憶されていない基地局情報のみ、周辺ゾーンテーブルＴ１１に記憶させる。また、周辺ゾーンテーブル管理部１０１８は、周辺ゾーンテーブルＴ１１に基地局情報を記憶した際、当該記憶した基地局情報に対応する他の基地局１０２乃至１０４に対して、送信部１０１２を介して、自局の基地局情報を含む周辺ゾーンテーブル追加要求情報を送信する。また、周辺ゾーンテーブル管理部１０１８は、受信部１０１１において周辺ゾーンテーブル要求情報が受信された場合、自局の周辺ゾーンテーブルＴ１１に記憶される全ての基地局情報を含む周辺ゾーンテーブル応答情報を生成する。そして、周辺ゾーンテーブル管理部１０１８は、送信部１０１２を介して、周辺ゾーンテーブル要求情報を送信した基地局１０２乃至１０４へ、生成した周辺ゾーンテーブル応答情報を送信する。また、周辺ゾーンテーブル管理部１０１８は、受信部１０１１において周辺ゾーンテーブル応答情報が受信された場合、受信された周辺ゾーンテーブル応答情報に含まれる基地局情報の一つを特定し、自局の周辺ゾーンテーブルＴ１１に記憶させる。
【００６０】
制御部１０１９は、基地局１０１に備えられる各種機能を制御する。また、制御部１０１９は、周辺ゾーンテーブルＴ１１に記憶されているスクランブリングコードを、送信部１０１２を介して、制御チャネルにより移動局５０１乃至５０２へ報知する。
【００６１】
次に制御ルータ２０１乃至２０２の構成について説明する。なお、制御ルータ２０１乃至２０２の構成は、同様であるため、制御ルータ２０１の構成について説明する。
【００６２】
制御ルータ２０１は、図７の例に示すように、受信部２０１１と、送信部２０１２と、制御部２０１３とを具備する。受信部２０１１は、基地局１０１乃至１０４及び集中制御局３０１から送信される各種情報を受信する。送信部２０１２は、基地局１０１乃至１０４及び集中制御局３０１へ各種情報を送信する。制御部２０１３は、制御ルータ２０１に具備される各種機能を制御し、基地局１０１乃至１０４と集中制御局３０１との間で、各種情報の送受信制御を行う。
【００６３】
次に、集中制御局３０１の構成について説明する。集中制御局３０１は、図８の例に示すように、受信部３０１１と、送信部３０１２と、エリア割当部３０１３と、基地局設定記憶部３０１４と、接続履歴記憶部３０１５と、周辺基地局探索部３０１６とを具備する。
【００６４】
受信部３０１１は、基地局１０１乃至１０４から送信された位置登録エリア割当要求情報と、元位置登録エリア要求情報と、通信切断元問い合わせ情報とを受信する。
【００６５】
送信部３０１２は、基地局１０１乃至１０４へ、位置登録エリア割当情報と、元位置登録エリア情報と、通信切断元応答情報とを送信する。
【００６６】
エリア割当部３０１３は、受信部３０１１において、位置登録エリア割当要求情報を受信した場合、新たに割り当てる位置登録エリアを決定し、当該位置登録エリア割当要求情報に含まれる基地局ＩＤと、決定した位置登録エリアを識別する位置登録エリアＩＤとを関連付けて、後述する位置登録エリアテーブルＴ３３に記憶する。また、エリア割当部３０１３は、割り当てた位置登録エリアＩＤを含む位置登録エリア割当情報を、送信部３０１２を介して、位置登録エリア割当要求情報を送信した基地局１０１乃至１０４へ送信する。
【００６７】
基地局設定記憶部３０１４は、無線パラメータテーブルＴ３１を備えている。無線パラメータテーブルＴ３１は、図９の例に示すように、収容している基地局１０１乃至１０４を識別する基地局ＩＤと、当該基地局１０１乃至１０４で設定されているスクランブリングコードとを関連付けて記憶する。
【００６８】
接続履歴記憶部３０１５は、位置登録エリア履歴テーブルＴ３２と位置登録エリアテーブルＴ３３とを備えている。位置登録エリア履歴テーブルＴ３２は、図１０（ａ）の例に示すように、移動局５０１乃至５０２を識別する移動局ＩＤと、位置登録エリアを識別する位置登録エリアＩＤとを関連付けて記憶する。また、位置登録エリア履歴テーブルＴ３２は、移動局５０１乃至５０２が、位置登録エリアを移動する毎に送信する位置登録要求情報に基づいて、移動局ＩＤと、関連付けられる位置登録エリアＩＤとが更新される。よって、位置登録エリア履歴テーブルＴ３２には、移動局５０１乃至５０２と基地局１０１乃至１０４との間で、以前に行われた通信の履歴が示されている。なお、かかる位置登録エリア履歴テーブルＴ３２では、移動局５０１乃至５０２が、移動によって位置登録エリアを変更しても、所定の時間（例えば、１時間）だけ以前の位置登録エリアＩＤを保持してもよい。
【００６９】
位置登録エリアテーブルＴ３３は、図１０（ｂ）の例に示すように、位置登録エリアＩＤと、当該位置登録エリアに属するセルを形成する基地局１０１乃至１０４の基地局ＩＤとを、関連付けて記憶する。
【００７０】
周辺基地局探索部３０１６は、受信部３０１１において、元位置登録エリア要求情報を受信した場合、位置登録エリア履歴テーブルＴ３２を参照し、当該元位置登録エリア要求情報に含まれる移動局ＩＤに基づいて、位置登録エリアＩＤを特定する。そして、周辺基地局探索部３０１６は、位置登録エリアテーブルＴ３３を参照して、特定した位置登録エリアＩＤに関連付けて記憶されている基地局ＩＤを特定する。また、周辺基地局探索部３０１６は、特定した基地局ＩＤを含む元位置登録エリア情報を生成し、送信部３０１２を介して、元位置登録エリア要求情報を送信した基地局１０１乃至１０４へ送信する。
【００７１】
次に移動局５０１乃至５０２の構成について説明する。なお、移動局５０１乃至５０２の構成は、同様であるため、移動局５０１の構成について説明する。
【００７２】
移動局５０１は、図１１の例に示すように、受信部５０１１と、送信部５０１２と、位置登録エリア変更検出部５０１３と、通信切断検出部５０１４と、制御部５０１５とを具備する。
【００７３】
受信部５０１１は、基地局１０１乃至１０４から送信される各種情報を受信する。送信部５０１２は、基地局１０１乃至１０４へ、イベント情報である位置登録要求情報と、再接続要求情報とを送信する。
【００７４】
位置登録エリア変更検出部５０１３は、自局の移動などにより、自局の在圏する位置登録エリアが変更されたことを検出し、送信部５０１２を介して、自局と通信している基地局１０１乃至１０４へ、自局の移動局ＩＤを含む位置登録情報を送信する。
【００７５】
通信切断検出部５０１４は、自局と基地局１０１乃至１０４との間における通信が切断したことを検出し、セルサーチを実行後に下り回線を受信することのできた基地局１０１乃至１０４に対して、自局の移動局ＩＤを含む再接続要求情報を送信する。
【００７６】
制御部５０１５は、移動局５０１の各種機能を制御する。
【００７７】
なお、本実施形態では、上述する移動局５０１は、携帯電話機や、ＰＤＡ（Ｐｅｒｓｏｎａｌ Ｄｅｇｉｔａｌ Ａｓｓｉｓｔａｎｔ）や、ノート型コンピュータなどのモバイル機器を想定している。
【００７８】
（移動通信システムの動作）
次に、本実施形態に係る移動通信システム１の動作について説明する。かかる移動通信システム１では、基地局１０４の新設する際に、基地局１０４と集中制御局３０１とが、位置登録エリア設定処理を実施し、新設後の運用時に、基地局１０１乃至１０４と集中制御局３０１とが、周辺ゾーンテーブル更新処理を実施する。
【００７９】
また、移動通信システム１では、上述した周辺ゾーンテーブル更新処理が、移動局の位置登録エリアを変更する際と、移動局との通信を再接続する際とに実施される。以下に本実施形態に係る移動通信システム１の位置登録エリア設定処理と、周辺ゾーンテーブル更新処理の具体的な動作について説明する。
【００８０】
（位置登録エリア設定処理の動作）
図１２を参照し、本実施形態に係る移動通信システム１における位置登録エリア設定処理の動作について説明する。ここで、基地局１０４は、新たに設置した新設の基地局であり、基地局１０１乃至１０３は、既に設置されている既設の基地局である。
【００８１】
図１２のステップＳ１０１において、基地局１０４では、起動又は管理者の所定の操作によって、エリア割当要求部１０１３が、集中制御局３０１へ位置登録エリア要求情報を送信する。
【００８２】
ステップＳ１０２において、集中制御局３０１では、受信部３０１１が、位置登録エリア割当要求情報を受信する。また、エリア割当部３０１３が、受信した位置登録エリア割当要求情報に含まれる基地局ＩＤ（Ｂ１０４）と、新たに割り当てる位置登録エリア４９９を識別する位置登録エリアＩＤ（Ｐ４９９）とを関連付けて、位置登録エリアテーブルＴ３３に記憶する。また、エリア割当部３０１３が、割り当てた位置登録エリアＩＤ（Ｐ４９９）を含む位置登録エリア割当情報を、基地局１０４へ送信する。
【００８３】
ステップＳ１０３において、基地局１０４は、位置登録エリア割当情報を受信し、受信した位置登録エリア割当情報に含まれる位置登録エリアＩＤ（Ｂ４９９）に基づいて、自局の位置登録エリア４９９を設定する。また、基地局１０４は、基地局１０１乃至１０３へ、周辺ゾーンテーブル要求情報（周辺ＺＴ要求情報）を送信する。この時、周辺ゾーンテーブル要求情報を送信する送信先は、集中制御局３０１に収容される全ての基地局１０１乃至１０３であってもよいし、制御ルータ２０１が収容している基地局１０１乃至１０２であってもよい。
【００８４】
ステップＳ１０４において、基地局１０４は、周辺ゾーンテーブル応答情報（周辺ＺＴ応答情報）を受信する。
【００８５】
ステップＳ１０５において、基地局１０４は、受信された周辺ゾーンテーブル応答情報に含まれる基地局情報の一つを特定し、自局の周辺ゾーンテーブルＴ１４に記憶する。ここで、基地局情報の一つを特定する方法は、基地局１０１乃至１０３から送信された周辺ゾーンテーブル応答情報に含まれる全ての基地局情報に基づいて、最も多く含まれていた基地局情報を周辺ゾーンテーブルＴ１４に記憶する。また、本実施形態では、基地局１０４が、基地局１０１の基地局情報を特定した場合を例に説明する。なお、かかる特定方法は、これに限らず、例えば、最も早く受信した周辺ゾーンテーブル応答情報を送信した基地局の基地局情報を、周辺ゾーンテーブルＴ１４に記憶する基地局情報として、特定してもよい。また、基地局１０４は、周辺ゾーンテーブルＴ１４への記憶を完了すると、周辺ゾーンテーブルＴ１４に記憶したスクランブリングコードを、制御チャネルにより報知し、基地局１０４の運用を開始する。
【００８６】
ステップＳ１０６において、基地局１０４は、周辺ゾーンテーブルＴ１４に記憶した基地局情報に対応する基地局１０１に対して、自局の基地局情報を含む周辺ゾーンテーブル追加要求情報（周辺ＺＴ追加要求情報）を送信する。
【００８７】
ステップＳ１０７において、基地局１０１は、受信した周辺ゾーンテーブル追加要求情報に含まれる基地局１０４の基地局情報を、周辺ゾーンテーブルＴ１１へ、記憶する。
【００８８】
以上のように、移動通信システム１において、上述する位置登録エリア設定処理が実施されることによって、基地局１０４には、位置登録エリア４９９が割り当てられると共に、周辺ゾーンテーブルに特定の基地局（例えば、基地局１０１）を記憶して、運用を開始する。
【００８９】
（位置登録エリア変更時の第１の周辺ゾーンテーブル更新処理）
図１３を参照しながら、第１の周辺ゾーンテーブル更新処理の動作について説明する。まず、新設した基地局１０４を含む基地局１０１乃至１０４が、運用中に、周辺ゾーンテーブルＴ１１乃至Ｔ１４を更新する周辺ゾーンテーブル更新処理の具体的動作について説明する。
【００９０】
また、集中制御局３０１の基地局設定記憶部３０１４には、無線パラメータテーブルＴ３１に基地局ＩＤと、スクランブリングコードが、関連付けて記憶されている。
【００９１】
ステップＳ２０１において、移動局５０１では、新設基地局１０４とは異なる基地局（例えば、基地局１０１）が形成するセル（例えば、セルＣ１０１）から、基地局１０４が形成するセルＣ１０４へ移動した際、位置登録エリア変更検出部５０１３は、位置登録エリア４９９に移動したことを検出する。
【００９２】
ステップＳ２０２において、移動局５０１では、位置登録エリア変更検出部５０１３が、移動先のセルＣ１０４を形成する基地局１０４へ、自局の移動局ＩＤを含む位置登録情報を送信し、基地局１０４は、当該位置登録要求情報を受信する。
【００９３】
ステップＳ２０３において、基地局１０４は、集中制御局３０１へ、元位置登録エリア要求情報を送信する。ここで、元位置登録エリア要求情報には、位置登録要求情報を送信した、移動局５０１の移動局ＩＤ（Ｕ５０１）が含まれている。
【００９４】
ステップＳ２０４において、集中制御局３０１は、受信部３０１１において、元位置登録エリア要求情報を受信する。また、周辺基地局探索部３０１６が、位置登録エリア履歴テーブルＴ３２を参照し、受信した元位置登録エリア要求情報に含まれる移動局ＩＤに基づいて、位置登録エリアＩＤ（例えば、Ｐ４９９）を特定する。そして、周辺基地局探索部３０１６は、位置登録エリアテーブルＴ３３を参照して、特定した位置登録エリアＩＤに関連付けられている基地局ＩＤ（Ｂ１０１乃至Ｂ１０２）を特定する。また、周辺基地局探索部３０１６は、特定した基地局ＩＤ（Ｂ１０１乃至Ｂ１０２）を含む元位置登録エリア情報を生成し、基地局１０４へ送信する。
【００９５】
ステップＳ２０５において、基地局１０４は、集中制御局３０１から送信された元位置登録エリア情報を受信する。
【００９６】
ステップＳ２０６において、基地局１０４では、受信した情報に含まれる基地局情報が、周辺ゾーンテーブルＴ１４に記憶されているか否かを判別し、記憶されていない基地局情報（例えば、基地局１０２の基地局情報）のみ、周辺ゾーンテーブルＴ１４に記憶する。
【００９７】
ステップＳ２０７において、基地局１０４は、周辺ゾーンテーブルＴ１４に記憶した基地局情報に対応する基地局１０２に対して、自局の基地局情報を含む周辺ゾーンテーブル追加要求情報（周辺ＺＴ追加要求情報）を送信する。
【００９８】
ステップＳ２０８において、基地局１０２は、受信した周辺ゾーンテーブル追加要求情報に含まれる基地局１０４に関する基地局情報を、自局の周辺ゾーンテーブルに記憶する。
【００９９】
（位置登録エリア変更時の第２の周辺ゾーンテーブル更新処理）
図１４を参照しながら、第２の周辺ゾーンテーブル更新処理の動作について説明する。ここで、上述する第１の周辺ゾーンテーブル更新処理では、集中制御局３０１の接続履歴記憶部３０１５において、位置登録エリア履歴テーブルＴ３２及び位置登録エリアテーブルＴ３３を備える場合を例に説明したが、本例では、基地局１０１乃至１０４の接続履歴記憶部１０１５が、位置登録エリア履歴テーブルＴ３２及び位置登録エリアテーブルＴ３３を備える場合を例に、第２の周辺ゾーンテーブル更新処理の動作について説明する。また、本例では、基地局１０１乃至１０４の周辺基地局探索部１０１７が、集中制御局３０１の周辺基地局探索部３０１６の機能を更に有している。
【０１００】
なお、本例では、移動通信システム１が、移動局５０１の位置登録エリアを変更する位置登録変更処理を行っているが、従来技術であるため、説明を省略する。また、図１４に示すステップＳ２１１乃至ステップＳ２１２の動作は、第１の周辺ゾーンテーブル更新処理のステップＳ２０１乃至ステップＳ２０２の動作と同様であるため、説明を省略する。
【０１０１】
ステップＳ２１３において、基地局１０４は、移動局５０１から送信された位置登録要求情報を受信する。また、基地局１０４では、周辺基地局探索部（周辺基地局探索部１０１７と同機能部）が、位置登録エリア履歴テーブルＴ３２を参照し、受信した位置登録要求情報に含まれる移動局ＩＤに基づいて、元の位置登録エリアＩＤ（例えば、Ｐ４０１）を特定する。そして、周辺基地局探索部は、位置登録エリアテーブルＴ３３を参照して、特定した位置登録エリアＩＤに関連付けられている基地局ＩＤ（Ｂ１０１乃至Ｂ１０２）を特定する。また、基地局１０４では、周辺ゾーンテーブル管理部（周辺ゾーンテーブル管理部１０１８と同機能部）が、周辺ゾーンテーブルＴ１４に当該特定した基地局ＩＤ（Ｂ１０１乃至Ｂ１０２）を記憶しているか否かを判別し、記憶していない基地局ＩＤの基地局（例えば、基地局１０２）を決定する。
【０１０２】
ステップＳ２１４において、基地局１０４では、周辺ゾーンテーブル管理部が、周辺ゾーンテーブルＴ１４に記憶していないと決定した基地局ＩＤの基地局（例えば、基地局１０２）へ、自局の基地局情報を含む周辺ゾーンテーブル追加要求情報（周辺ＺＴ追加要求情報）を送信する。
【０１０３】
ステップＳ２１５において、基地局１０２は、受信した周辺ゾーンテーブル追加要求情報に含まれる基地局１０４に関する基地局情報を、自局の周辺ゾーンテーブルに記憶する。
【０１０４】
ステップＳ２１６において、基地局１０２は、周辺ゾーンテーブル追加要求情報を送信した基地局１０４へ、自局の基地局情報を含む周辺ゾーンテーブル追加応答情報（周辺ＺＴ追加応答情報）を送信する。
【０１０５】
ステップＳ２１７において、基地局１０４は、受信した周辺ゾーンテーブル追加応答情報に含まれる基地局１０２に関する基地局情報を、自局の周辺ゾーンテーブルに記憶する。
【０１０６】
（通信再接続要求時の第３の周辺ゾーンテーブル更新処理）
図１５を参照しながら、第３の周辺ゾーンテーブル更新処理の動作について説明する。また、上述する第１乃至第２の周辺ゾーンテーブル更新処理は移動局５０１が、位置登録エリアを変更する場合を例に説明したが、本例では、移動局５０２の通信が切断され、移動局５０２が、再接続要求する際の周辺ゾーンテーブル更新処理について説明する。
【０１０７】
図１５に示すステップＳ３０１において、基地局１０４（第１の基地局）のスクランブリングコードが基地局１０３から報知される周辺ゾーンテーブルの情報に含まれていない場合、移動局５０２は、例えば、基地局１０３との通信中に、基地局１０４が形成するセルＣ１０４へ移動すると、基地局１０４へハンドオーバできず、基地局１０３との通信が切断する。
【０１０８】
ステップＳ３０２において、移動局５０２は、基地局１０４から送信される制御チャネルを受信し、基地局１０４へ、再接続要求情報を送信する。また、基地局１０４は、移動局５０２から送信された再接続要求情報を受信する。
【０１０９】
ステップＳ３０３において、基地局１０４は、基地局１０１乃至１０３（第２の基地局）へ、移動局５０２の移動局ＩＤ（Ｕ５０２）を含む通信切断元問い合わせ情報を送信する。この時、通信切断元問い合わせ情報の送信先は、集中制御局３０１が収容する全ての基地局１０１乃至１０３であってもよいし、制御ルータ２０１が収容する基地局１０１乃至１０２であってもよい。さらに、かかる送信先は、移動局５０２が以前に在圏した位置登録エリアを、集中制御局３０１へ問い合わせて決定してもよい。
【０１１０】
また、基地局１０１乃至１０３は、通信切断元問い合わせ情報を受信する。また、通信切断元問い合わせ情報を受信した基地局１０１乃至１０３では、当該通信切断元問い合わせ情報に含まれる移動局ＩＤが、自局の通信切断履歴テーブルＴ１０１に記憶されているか否かを判定する。
【０１１１】
ステップＳ３０４において、例えば、基地局１０３において、受信した通信切断元問い合わせ情報に含まれる移動局ＩＤが、自局の通信切断履歴テーブルＴ１０１に記憶されていると判定した場合、基地局１０３では、自局の基地局情報を含む通信切断元応答情報を生成し、基地局１０４又へ送信する。
【０１１２】
ステップＳ３０５において、基地局１０４は、通信切断元応答情報を受信する。
【０１１３】
ステップＳ３０６において、基地局１０４は、受信した通信切断元応答情報に含まれる基地局情報を、自局の周辺ゾーンテーブルＴ１４に記憶する。
【０１１４】
ステップＳ３０７において、基地局１０４は、基地局１０３へ、自局の基地局情報を含む周辺ゾーンテーブル追加要求情報（周辺ＺＴ追加要求情報）を送信する。
【０１１５】
ステップＳ３０８において、基地局１０３は、受信した周辺ゾーンテーブル追加要求情報に含まれる基地局１０４の基地局情報を、自局の周辺ゾーンテーブルＴ１３に記憶する。
【０１１６】
（通信再接続要求時の第４の周辺ゾーンテーブル更新処理）
図１６を参照しながら、第４の周辺ゾーンテーブル更新処理の動作について説明する。ここで、上述する第３の周辺ゾーンテーブル更新処理では、基地局１０１乃至１０４の接続履歴記憶部１０１５が、通信切断履歴テーブルＴ１０１を備える場合を例に説明したが、本例では、集中制御局３０１の接続履歴記憶部１０１５が、通信切断履歴テーブルＴ１０１を備える場合を例に、第４の周辺ゾーンテーブル更新処理の動作について説明する。また、本例では、集中制御局３０１の周辺基地局探索部３０１６が、基地局１０１乃至１０４の周辺基地局探索部１０１７の機能を更に有している。
【０１１７】
また、図１６に示すステップＳ３１１乃至ステップＳ３１２の動作は、第３の周辺ゾーンテーブル更新処理のステップＳ３０１乃至ステップＳ３０２の動作と同様であるため、説明を省略する。
【０１１８】
ステップＳ３１３において、基地局１０４では、移動局５０２から送信された再接続要求情報を受信し、集中制御局３０１へ、移動局５０２の移動局ＩＤ（Ｕ５０２）を含む通信切断元問い合わせ情報を送信する。また、集中制御局３０１では、受信部３０１１が、通信切断元問い合わせ情報を受信する。
【０１１９】
ステップＳ３１４において、集中制御局３０１では、受信した当該通信切断元問い合わせ情報に含まれる移動局ＩＤが、通信切断履歴テーブルＴ１０１に記憶されているか否かを判定する。
【０１２０】
また、集中制御局３０１では、かかる移動局ＩＤが、通信切断履歴テーブルＴ１０１に記憶されていると判定した場合、周辺基地局探索部３０１６が、位置登録エリア履歴テーブルＴ３２を参照し、当該移動局ＩＤに基づいて、位置登録エリアＩＤ（例えば、Ｐ４０２）を特定する。続いて、周辺基地局探索部３０１６は、位置登録エリアテーブルＴ３３を参照して、特定した位置登録エリアＩＤに関連付けられている基地局ＩＤ（Ｂ１０３）を特定する。
【０１２１】
ステップＳ３１５において、集中制御局３０１では、周辺基地局探索部３０１６が、特定した基地局ＩＤ（Ｂ１０３）を含む通信切断元応答情報を生成し、基地局１０４へ送信する。
【０１２２】
また、以後のステップＳ３１６乃至ステップＳ３１８の動作は、第３の周辺ゾーンテーブル更新処理におけるステップＳ３０６乃至ステップＳ３０８の動作と同様であるため、説明を省略する。
【０１２３】
なお、本実施形態では、移動局５０１乃至５０２から送信されるイベント情報が、新設された基地局１０４で受信される場合を例に、周辺ゾーンテーブル更新処理の動作を説明したが、かかるイベント情報は、既設の基地局１０１乃至１０３で受信される場合であっても、上述した周辺ゾーンテーブル更新処理の実施は可能である。
【０１２４】
（移動通信システムの作用・効果）
本実施形態に係る移動通信システム１によれば、基地局（例えば、基地局１０４）は、移動局５０１乃至５０２が移動する際に送信するイベント情報として、位置登録要求情報又は再接続要求情報を受信した際に、他の基地局（例えば、基地局１０３）又は集中制御局３０１へ、当該移動局５０１乃至５０２と以前に通信した他の基地局（例えば、基地局１０３）に関する基地局情報を要求すると共に、他の基地局（例えば、基地局１０３）の基地局情報を受信し、自局の周辺ゾーンテーブルＴ１４に記憶する。
【０１２５】
よって、かかる移動通信システム１によれば、移動局が受信する実際の無線範囲に基づいて、自局（セル）が隣接する他の基地局（セル）を高精度に特定できると共に、周辺に位置する他の基地局に関する基地局情報（無線通信用のパラメータ）を自局の周辺ゾーンテーブルＴ１４に記憶することができる。
【０１２６】
また、周辺ゾーンテーブルＴ１４に記憶した他の基地局（例えば、基地局１０３）へも自局の基地局情報を送信するので、当該他の基地局１０３においても、自局の基地局情報を記憶させることが可能になる。また、周辺ゾーンテーブルＴ１４に記憶する作業が、高精度にかつ自動で行われるので、特に、記憶部に記憶させる作業の多い、基地局を新設する際の作業負荷を低減することができる。
【０１２７】
よって、かかる移動通信システム１によれば、基地局において、自局が報知する無線通信用のパラメータ情報（スクランブリングコード等）を高精度に設定するとともに、当該設定時の作業負荷を低減することができる。
【０１２８】
また、かかる移動通信システム１によれば、集中制御局３０１が、エリア割当要求情報を送信した基地局（例えば、基地局１０４）に対して、新たな位置登録エリア（位置登録エリア４９９）を割り当てるので、移動局が、当該基地局１０４のセルＣ１０４に移動した際に送信する、より多くの位置登録要求情報をイベント情報として使用でき、周辺ゾーンテーブル更新処理を実施する頻度を増やすことができる。
【０１２９】
よって、かかる移動通信システム１によれば、例えば、新設した基地局などの特定の基地局に備えられる周辺ゾーンテーブルへ、基地局情報をより早く記憶させることができる。
【０１３０】
（その他の実施形態）
上述したように本発明の一例を説明したが、具体例を例示したに過ぎず、特に本発明を限定するものではなく、各部の具体的構成等は、適宜設計変更可能である。また、各実施形態及び各変更例の構成はそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【図面の簡単な説明】
【０１３１】
【図１】第１の実施形態に係る移動通信システムの構成を示す概略図である。
【図２】（ａ）第１の実施形態に係る周辺ゾーンテーブルを示す図である。（ｂ）第１の実施形態に係る周辺ゾーンテーブルを示す図である。
【図３】第１の実施形態に係る移動通信システムにおいて、基地局１０４を新たに設置した場合の構成を示す概略図である。
【図４】（ａ）第１の実施形態に係る周辺ゾーンテーブルを示す図である。（ｂ）第１の実施形態に係る周辺ゾーンテーブルを示す図である。（ｃ）第１の実施形態に係る周辺ゾーンテーブルを示す図である。
【図５】第１の実施形態に係る基地局の構成を示すブロック図である。
【図６】第１の実施形態に係る移動通信システムにおける通信切断履歴テーブルを示す図である。
【図７】第１の実施形態に係る移動通信システムにおける制御ルータの構成を示すブロック図である。
【図８】第１の実施形態に係る移動通信システムにおける集中制御局の構成を示すブロック図である。
【図９】第１の実施形態に係る移動通信システムにおける無線パラメータテーブルを示す図である。
【図１０】（ａ）第１の実施形態に係る移動通信システムにおける位置登録エリア履歴テーブルを示す図である。（ｂ）第１の実施形態に係る移動通信システムにおける位置登録エリアテーブルを示す図である。
【図１１】第１の実施形態に係る移動通信システムにおける移動局の構成を示すブロック図である。
【図１２】第１の実施形態に係る移動通信システムにおける位置登録エリア設定処理の動作を示すシーケンス図である。
【図１３】第１の実施形態に係る移動通信システムにおける第１の周辺ゾーンテーブル更新処理の動作を示すシーケンス図である。
【図１４】第１の実施形態に係る移動通信システムにおける第２の周辺ゾーンテーブル更新処理の動作を示すシーケンス図である。
【図１５】第１の実施形態に係る移動通信システムにおける第３の周辺ゾーンテーブル更新処理の動作を示すシーケンス図である。
【図１６】第１の実施形態に係る移動通信システムにおける第４の周辺ゾーンテーブル更新処理の動作を示すシーケンス図である。
【符号の説明】
【０１３２】
Ａ乃至Ｈ…ステップ、Ｂ１０１乃至Ｂ１０４…基地局ＩＤ、Ｃ１０１〜Ｃ１０４…セル、Ｓ１０１乃至Ｓ１０７…ステップ、Ｓ２０１乃至Ｓ２０８…ステップ、Ｓ２１１乃至Ｓ２１７…ステップ、Ｓ３０１乃至Ｓ３０８…ステップ、Ｓ３１１乃至Ｓ３１８…ステップ、Ｔ１０１…通信切断履歴テーブル、Ｔ１１〜Ｔ１４…周辺ゾーンテーブル、Ｔ３１…無線パラメータテーブル、Ｔ３２…位置登録エリア履歴テーブル、Ｔ３３…位置登録エリアテーブル、１乃至８…ステップ、１…移動通信システム、１０１乃至１０４…基地局、２０１乃至２０２…制御ルータ、３０１…集中制御局、４０１乃至４０２…位置登録エリア、４９９…位置登録エリア、５０１乃至５０２…移動局、１０１１…受信部、１０１２…送信部、１０１３…エリア割当要求部、１０１４…エリア設定部、１０１５…接続履歴記憶部、１０１６…周辺ゾーンテーブル記憶部、１０１７…周辺基地局探索部、１０１８…周辺ゾーンテーブル管理部、１０１９…制御部、２０１１…受信部、２０１２…送信部、２０１３…制御部、３０１１…受信部、３０１２…送信部、３０１３…エリア割当部、３０１４…基地局設定記憶部、３０１５…接続履歴記憶部、３０１６…周辺基地局探索部、５０１１…受信部、５０１２…送信部、５０１３…位置登録エリア変更検出部、５０１４…通信切断検出部、５０１５…制御部
【図１】
0004709064.tif 000002
【図２】
0004709064.tif 000003
【図３】
0004709064.tif 000004
【図４】
0004709064.tif 000005
【図５】
0004709064.tif 000006
【図６】
0004709064.tif 000007
【図７】
0004709064.tif 000008
【図８】
0004709064.tif 000009
【図９】
0004709064.tif 000010
【図１０】
0004709064.tif 000011
【図１１】
0004709064.tif 000012
【図１２】
0004709064.tif 000013
【図１３】
0004709064.tif 000014
【図１４】
0004709064.tif 000015
【図１５】
0004709064.tif 000016
【図１６】
0004709064.tif 000017